(57)【要約】      （修正有）【課題】複数の半導体レーザが搭載されたフレキシブルケーブルにおいて、共通の導電性クリップを使用して複数の半導体レーザの静電破壊を防止する。【解決手段】フレキシブルケーブル１０のケーブル本体部１０ａに、短絡用ランド部２１，２２と短絡用接地ランド部２３が形成され、折曲げ片１０ｂに短絡用ランド部２４と短絡用接地ランド部２５が形成されている。折曲げ部１０ｂをケーブル本体部１０ａの裏側に折り曲げ、導電性クリップを開口部１５に入れて、ケーブル本体部１０ａと折曲げ片１０ｂを挟み込むことで、短絡用ランド部２１，２２，２４を短絡用接地ランド部２３，２５に導通させる。【選択図】図２
2010287258.tif 000002
【特許請求の範囲】
【請求項１】
複数の半導体レーザを備えた本体部を有し、前記半導体レーザに駆動信号を与えるフレキシブルケーブルが前記本体部から延び出ている光学電子装置において、
前記フレキシブルケーブルに、それぞれの半導体レーザに導通する複数のリード導体と、それぞれの前記リード導体に導通して外部接続を行う中継ランド部と、複数の半導体レーザの陽極部に個別に導通された複数の短絡用ランド部と、前記半導体レーザの陰極部に導通する短絡用接地ランド部とが設けられ、
複数の前記短絡用ランド部が、前記フレキシブルケーブルの表側と裏側に分かれて配置され、表側と裏側に設けられた短絡用ランド部と前記短絡用接地ランド部とを導通させる導電性クリップが前記フレキシブルケーブルに装着可能とされていることを特徴とする光学電子装置。
【請求項２】
複数の短絡用ランド部ならびに前記短絡用接地ランド部が、前記フレキシブルケーブルの表面のみに形成されており、前記フレキシブルケーブルの一部が裏面どうしが対面するように折り畳まれて、前記短絡用ランド部が、前記フレキシブルケーブルの表側と裏側に分かれて配置される請求項１記載の光学電子装置。
【請求項３】
前記フレキシブルケーブルに、いずれかの短絡用ランド部が形成されたケーブル本体部と、前記ケーブル本体部の側方に突出していずれかの短絡用ランド部が形成された折曲げ片とが一体に形成されており、前記折曲げ片が前記ケーブル本体部の裏面に向けて折り曲げられる請求項２記載の光学電子装置。
【請求項４】
複数の短絡用ランド部のいずれかが前記フレキシブルケーブルの表面に形成され、他の短絡用ランド部が前記フレキシブルケーブルの裏面に形成されている請求項１記載の光学電子装置。
【請求項５】
前記フレキシブルケーブルの表側に、２つの半導体レーザの陽極部に個別に導通する２つの短絡用ランド部および前記２つの半導体レーザの陰極部に共通に導通する１つの短絡用接地ランド部が配置され、前記フレキシブルケーブルの裏側に、他の半導体レーザの陽極部に導通する短絡用ランド部が配置される請求項１ないし４のいずれか１項に記載の光学用電子装置。
【発明の詳細な説明】
【技術分野】
【０００１】
本発明は、複数の半導体レーザが搭載されている光ピックアップ装置やその他の光学電子装置に係り、特に、製造工程において半導体レーザを保護することができる光学電子装置に関する。
【背景技術】
【０００２】
多種の光ディスクが装填されるディスク装置に装備される光ピックアップ装置には、互いに発光波長が相違する複数の半導体レーザが搭載される。また、光通信装置や各種インターフェースにおいても、複数の半導体レーザが搭載されることがある。
【０００３】
これら半導体レーザを搭載する光学電子装置には、外部に延び出るフレキシブルケーブルが設けられており、フレキシブルケーブルに、それぞれの半導体レーザの陽極部と陰極部に導通するリード導体や、半導体レーザ以外の各種電子素子に導通するリード導体が形成され、フレキシブルケーブルの先部にはそれぞれのリード導体に導通する中継ランド部が設けられている。
【０００４】
この種の光学電子装置が保管されているとき、または組立作業中に、半導体レーザに導通する中継ランド部に、静電気が帯電している人体などが触れたとき、または中継ランド部が、帯電しているコネクタに嵌着されたときなどに、半導体レーザに過大な電流が流れて半導体レーザを破損する心配がある。
【０００５】
そこで、以下の特許文献１に記載された光ピックアップ装置では、フレキシブルケーブルに、ＣＤ用の半導体レーザへ駆動信号を与える第１のランド部と、ＤＶＤ用の半導体レーザへ駆動信号を与える第２のランド部と、前記２つの半導体レーザの陰極部に共通して導通する接地ランド部が並んで形成されている。そして、光ピックアップ装置のディスク装置への組み込みが完了するまで、金属製のクリップで第１のランド部と第２のランド部および接地ランド部を挟持して、互いに短絡させておくことにより、ＣＤ用の半導体レーザとＤＶＤ用の半導体レーザの静電破壊を防止できるようにしている。
【先行技術文献】
【特許文献】
【０００６】
【特許文献１】特開２００８−１３５１１８号公報
【発明の概要】
【発明が解決しようとする課題】
【０００７】
前記特許文献１に記載された光ピックアップ装置は、第１のランド部と第２のランド部および接地ランド部がフレキシブルケーブルの中央部に配置されているために、１つのクリップで第１のランド部と第２のランド部および接地ランド部の全てを短絡させることが可能である。すなわち、ＣＤ用の半導体レーザとＤＶＤ用の半導体レーザは、同じパッケージ内に収められて、１つのユニットとして構成され、しかも２つの半導体レーザの陰極部が共通の接地用端子に接続されている。そのために、第１のランド部と第２のランド部および接地ランド部をフレキシブルケーブルの中央部に配置することが可能とされている。
【０００８】
しかし、ＣＤ用の半導体レーザとＤＶＤ用の半導体レーザの他に、さらにＢＤ用の半導体レーザが搭載されている光ピックアップ装置や、それぞれが別々のパッケージに収められている複数の半導体レーザが搭載された光学電子装置では、短絡させるべき複数のランド部を全て同じ場所に配置することは難しい。例えば、短絡用のランド部がリード導体を挟んだ位置に配置されたり、フレキシブルケーブルの幅方向に互いに分かれた位置にランド部が配置されることが避けられない。このような場合に、１個のクリップを用いてランド部を短絡させることが困難になり、複数のクリップが必要となるなどの問題が生じやすくなる。
【０００９】
本発明は上記従来の課題を解決するものであり、複数の短絡用のランド部の全てをフレキシブルケーブルの同じ場所に並んで配置することができない配線構造であっても、導電性クリップによって多数のランド部を短絡させることが可能な光学電子装置を提供することを目的としている。
【課題を解決するための手段】
【００１０】
本発明の光学電子装置は、複数の半導体レーザを備えた本体部を有し、前記半導体レーザに駆動信号を与えるフレキシブルケーブルが前記本体部から延び出ている光学電子装置において、
前記フレキシブルケーブルに、それぞれの半導体レーザに導通する複数のリード導体と、それぞれの前記リード導体に導通して外部接続を行う中継ランド部と、複数の半導体レーザの陽極部に個別に導通された複数の短絡用ランド部と、前記半導体レーザの陰極部に導通する短絡用接地ランド部とが設けられ、
複数の前記短絡用ランド部が、前記フレキシブルケーブルの表側と裏側に分かれて配置され、表側と裏側に設けられた短絡用ランド部と前記短絡用接地ランド部とを導通させる導電性クリップが前記フレキシブルケーブルに装着可能とされていることを特徴とするものである。
【００１１】
本発明は、複数の短絡用ランド部をフレキシブルケーブルの表側と裏側に配置し、共通の導電性クリップで、表裏両側の短絡用ランド部ならびに短絡用接地ランド部を導通させることで、複数の半導体レーザを静電破壊から保護している。複数の短絡用ランド部をフレキシブルケーブルのひとつの面に集中して配置する必要がないため、フレキシブルケーブルの配線構造を簡単にできる。
【００１２】
本発明は、複数の短絡用ランド部ならびに前記短絡用接地ランド部が、前記フレキシブルケーブルの表面のみに形成されており、前記フレキシブルケーブルの一部が裏面どうしが対面するように折り畳まれて、前記短絡用ランド部が、前記フレキシブルケーブルの表側と裏側に分かれて配置されるものとして構成できる。
【００１３】
例えば、本発明は、前記フレキシブルケーブルに、いずれかの短絡用ランド部が形成されたケーブル本体部と、前記ケーブル本体部の側方に突出していずれかの短絡用ランド部が形成された折曲げ片とが一体に形成されており、前記折曲げ片が前記ケーブル本体部の裏面に向けて折り曲げられるものである。
【００１４】
上記のように、フレキシブルケーブルの一方の面のみにリード導体や短絡用ランド部を設けることで、フレキシブルケーブルの構造を簡単にできる。
【００１５】
あるいは、本発明は、複数の短絡用ランド部のいずれかが前記フレキシブルケーブルの表面に形成され、他の短絡用ランド部が前記フレキシブルケーブルの裏面に形成されているものであってもよい。
【００１６】
本発明は、前記フレキシブルケーブルの表側に、２つの半導体レーザの陽極部に個別に導通する２つの短絡用ランド部および前記２つの半導体レーザの陰極部に共通に導通する１つの短絡用接地ランド部が配置され、前記フレキシブルケーブルの裏側に、他の半導体レーザの陽極部に導通する短絡用ランド部が配置されるものとして構成できる。
【００１７】
上記構成では、２つの半導体レーザが共通のパッケージに収納されているものと、これとは別のパッケージの半導体レーザを使用した場合であっても、共通の導電性クリップで、それぞれの短絡用ランド部を短絡させることができる。
【発明の効果】
【００１８】
本発明は、複数の半導体レーザが搭載された光学電子装置において、フレキシブルケーブルの表側と裏側に短絡用ランド部を配置し、導電性クリップをフレキシブルケーブルに装着して、表裏の短絡用ランド部と短絡用接地ランド部とを導通させることで、それぞれの半導体レーザを静電破壊から保護することが可能になる。
【図面の簡単な説明】
【００１９】
【図１】本発明の光学電子装置の第１の実施の形態の光ピックアップ装置を示す斜視図、
【図２】光ピックアップ装置から延び出るフレキシブルケーブルの部分拡大平面図、
【図３】光ピックアップ装置から延び出るフレキシブルケーブルと導電性クリップを示す斜視図、
【図４】フレキシブルケーブルに導電性クリップが装着された状態を示す断面図、
【図５】（Ａ）は第２の実施の形態の光ピックアップ装置から延び出るフレキシブルケーブルの部分平面図、（Ｂ）は部分背面図、
【図６】（Ａ）は、ＣＤ用の半導体レーザとＤＶＤ用の半導体レーザが実装されるパッケージを示す図、（Ｂ）は、ＢＤ用の半導体レーザが実装されるパッケージを示す図
【発明を実施するための形態】
【００２０】
図１は本発明の光学電子装置の実施の形態である光ピックアップ装置１を示している。光ピックアップ装置１は移動ベース２を有している。移動ベース２はディスク装置に搭載され、回転駆動部に装填されるディスクの記録面に沿ってディスクのラジアル方向へ往復移動自在に支持される。ディスク装置には、移動ベース２を移動させるスレッド機構が設けられている。
【００２１】
移動ベース２には支持体３が固定されている。支持体３には４本のワイヤ形状の弾性支持部材９の基端部が支持されており、弾性支持部材９の先部にレンズホルダ４が支持されている。レンズホルダ４には２つの対物レンズ５，６が搭載されている。移動ベース２には、レンズホルダ４を対物レンズ５，６の光軸方向へ補正駆動するフォーカシング補正駆動装置と、レンズホルダ４をディスクのラジアル方向へ補正駆動するトラッキング補正駆動装置とが設けられている。フォーカシング補正駆動装置は、レンズホルダ４に巻かれたフォーカシングコイルと、移動ベース２に固定されてフォーカシングコイルに磁界を与えるマグネットとで構成されている。トラッキング補正駆動装置は、レンズホルダ４の側面に固定されたトラッキングコイルと、移動ベース２に固定されてトラッキングコイルに磁界を与えるマグネットとで構成されている。
【００２２】
光ピックアップ装置１が搭載されるディスク装置には、ＣＤ（コンパクトディスク）とＤＶＤ（ディジタルバーサタイルディスク）およびＢＤ（ブルーレイ「Ｂｌｕ−ｒａｙ」ディスク）（「Ｂｌｕ−ｒａｙ」は登録商標）が装填される。それぞれのディスクは情報を記録し、また情報を再生するための光の波長が相違するため、移動ベース２にそれぞれのディスクに対応する３種類の半導体レーザが搭載されている。
【００２３】
図６（Ａ）に示すように、ＣＤ用の半導体レーザＳｃとＤＶＤ用の半導体レーザＳｄは、共通のパッケージ７内に実装されている。パッケージ７は、ＣＤ用の半導体レーザＳｃの陽極部に接続されるＣＤ用陽極端子７ａと、ＤＶＤ用の半導体レーザＳｄの陽極部に接続されるＤＶＤ用陽極端子７ｂと、ＣＤ用の半導体レーザＳｃの陰極部とＤＶＤ用の半導体レーザＳｄの陰極部に共通に接続される共通陰極端子７ｃを有している。図６（Ｂ）に示すＢＤ用の半導体レーザＳｂは、ＣＤ用ならびにＤＶＤ用のパッケージ７とは別のパッケージ８内に実装されている。このパッケージ８には、ＢＤ用の半導体レーザＳｂの陽極部に接続されるＢＤ用陽極端子８ａと半導体レーザＳｂの陰極部に接続される陰極端子８ｂとが設けられている。
【００２４】
図１に示す一方の対物レンズ６は、ＣＤとＤＶＤの双方に共通して使用される。移動ベース２には、ＣＤ用の半導体レーザＳｃまたはＤＶＤ用の半導体レーザＳｄから発せられた光を対物レンズ６に導く光学部品が実装されている。また、ディスクから反射され、対物レンズ６を通過する戻り光を受光する受光素子が設けられている。他方の対物レンズ５はＢＤ用に使用される。移動ベース２には、ＢＤ用の半導体レーザＳｂから発せられた光を対物レンズ６に導く光学部品が実装され。また、ディスクで反射された戻り光を受光する受光素子が設けられている。
【００２５】
図１に示すように、移動ベース２からフレキシブルケーブル１０が延び出ている。フレキシブルケーブル１０は、ケーブル本体部１０ａと、このケーブル本体部１０ａの側部から一体に延びる折曲げ片１０ｂとを有している。
【００２６】
図２に示すように、フレキシブルケーブル１０は、可撓性の樹脂フィルムまたは樹脂シートで形成された絶縁性で可撓性の基板１１を有している。図２では、基板１１の表面１１ａが紙面の手前に向けられている。基板１１の表面１１ａに、複数のリード導体１２が形成されている。リード導体１２は銅などの導電性の薄膜で形成され、基板１１の長手方向に沿って線状に延びている。
【００２７】
リード導体１２は多数設けられており、そのいずれかが図６（Ａ）に示すＣＤ用陽極端子７ａとＤＶＤ用陽極端子７ｂおよび共通陰極端子７ｃに個別に接続されている。また、リード導体１２のいずれかが、図６（Ｂ）に示すＢＤ用陽極端子８ａと陰極端子８ｂに個別に接続されている。残りのリード導体１２は、図１に示す弾性支持部材９を介して、レンズホルダ４に搭載されたフォーカシングコイルとトラッキングコイルに接続され、他のリード導体１２は、それぞれの受光素子の端子部に接続されている。
【００２８】
図２に示すように、ケーブル本体部１０ａの先部に接続部１３が設けられている。ディスク装置の固定部にコネクタが設けられており、接続部１３がコネクタに嵌着される。接続部１３では、基板１１の表面１１ａに複数の中継ランド部１４が並んで形成されている。それぞれの中継ランド部１４が、複数のリード導体１２と個別に接続されている。中継ランド部１４は、ニッケル層と金層の積層体などで形成されている。
【００２９】
図２に示すように、ケーブル本体部１０ａでは、接続部１３よりも基部側の中央部に、第１の短絡用ランド部２１と第２の短絡用ランド部２２が形成され、第１の短絡用ランド部２１と第２の短絡用ランド部との間に第１の短絡用接地ランド部２３が形成されている。第１の短絡用ランド部２１と第２の短絡用ランド部２２と第１の短絡用接地ランド部２３は、中継ランド部１４と同様に、基板１１の表面１１ａにおいてニッケル層と金層の積層体などで形成されている。第１の短絡用ランド部２１と第２の短絡用ランド部２２と第１の短絡用接地ランド部２３には、それぞれ基板１１を貫通する嵌合穴２１ａ，２２ａ，および２３ａが開口している。
【００３０】
図６（Ａ）に示すＣＤ用陽極端子７ａと導通しているリード導体１２は、第１の短絡用ランド部２１に接続され、さらに複数の中継ランド部１４のいずれかに接続されている。図６（Ａ）に示すＤＶＤ用陽極端子７ｂと導通しているリード導体１２は、第２の短絡用ランド部２２に接続されているとともに、中継ランド部１４のいずれかに接続されている。また、図６（Ａ）に示す共通陰極端子７ｃに導通しているリード導体１２は、第１の短絡用接地ランド部２３といずれかの中継ランド部１４の双方に接続されており、さらに金属製の移動ベース２などに導通されて接地電位に設定されている。
【００３１】
図６に示すように、ＣＤ用の半導体レーザＳｃとＤＶＤ用の半導体レーザＳｄは、同じパッケージ７内に実装されて、このパッケージ７に３つの端子７ａ，７ｂ，７ｃが設けられている。そのため、それぞれの端子７ａ，７ｂ，７ｃに導通するリード導体１２をフレキシブルケーブル１０の上に隣接させて引き出すことができ、その結果、図２に示すように、ケーブル本体部１０ａの中央部に第１の短絡用ランド部２１と第２の短絡用ランド部２２および第１の短絡用接地ランド部２３を集約して配置することが可能となっている。
【００３２】
図２に示すように、フレキシブルケーブル１０の折曲げ片１０ｂの先部では、基板１１の表面１１ａに、第３の短絡用ランド部２４と第２の短絡用接地ランド部２５が形成されている。第３の短絡用ランド部２４と第２の短絡用接地ランド部２５も、ニッケル層と金層の積層体などで形成されている。また基板１１には、第３の短絡用ランド部２４において表裏に貫通する嵌合穴２４ａと、第２の短絡用接地ランド部２５において表裏に貫通する嵌合穴２５ａが形成されている。
【００３３】
図６（Ｂ）に示すＢＤ用陽極端子８ａに接続されているリード導体１２が、折曲げ片１０ｂの表面まで延びて第３の短絡用ランド部２４に接続されている。さらに、第３の短絡用ランド部２４と、いずれかの中継ランド部１４とがリード導体１２を介して導通している。図６（Ｂ）に示す陰極端子８ｂに接続されているリード導体１２も折曲げ片１０ｂの表面まで延びて第２の短絡用接地ランド部２５に接続されている。さらに、第２の短絡用接地ランド部２５は、いずれかの中継ランド部１４と導通し、さらに、金属製の移動ベース２などに導通されて接地電位に設定されている。
【００３４】
図６に示すように、ＣＤ用の半導体レーザＳｃならびにＤＶＤ用の半導体レーザＳｄと、ＢＤ用の半導体レーザＳｂは、別々のパッケージに収納されているため、ＣＤ用の半導体レーザＳｃならびにＤＶＤ用の半導体レーザＳｄに導通するリード導体１２の引き出し経路と、ＢＤ用の半導体レーザＳｂに導通するリード導体１２の引き出し経路を分けることが必要である。図２に示すように、ＢＤ用陽極端子８ａと第２の短絡用接地ランド部２５を、折曲げ片１０ｂの上に配置することで、ＣＤまたはＤＶＤの短絡用のランド部２１，２２，２３と、ＢＤの短絡用のランド部２４，２５との間に、他のリード導体１２を引き回すことが可能になり、フレキシブルケーブル１０の配線の設計の自由度を高めることができる。
【００３５】
また、ケーブル本体部１０ａに、第３の短絡用ランド部２４と第２の短絡用接地ランド部２５を設けるスペースを形成する必要がないため、ケーブル本体部１０ａの幅寸法が過大になることを防止できる。
【００３６】
図２に示すように、ケーブル本体部１０ａには、第１の短絡用ランド部２１と第２の短絡用ランド部２２および第１の短絡用接地ランド部２３の前方で、中継ランド部１４の後方に、基板１１を表裏に貫通する矩形状の開口部１５が形成されている。
【００３７】
なお、フレキシブルケーブル１０では、中継ランド部１４、および第１の短絡用ランド部２１と第２の短絡用ランド部２２と第１の短絡用接地ランド部２３、ならびに第３の短絡用ランド部２４と第２の短絡用接地ランド部２５が露出しているが、それ以外の領域では、リード導体１２がレジスト層で覆われて外部と絶縁されている。
【００３８】
図３と図４に示す導電性クリップ３０は、ステンレスやリン青銅などの導電性の板ばね材料で形成されている。導電性クリップ３０には、上側の両側に上側部接触片３１，３２が形成され、その中間に上中央部接触片３３が形成されている。上中央部接触片３３には下側に向けて突出する下向き嵌合突起３３ａが一体に形成されている。
【００３９】
導電性クリップ３０には、下側の両側に下側部接触片３４，３５が形成され、その中間に下中央部接触片３６が一体に形成されている。図３と図４に示すように、下側部接触片３５の基部には上側に向けて突出する上向き嵌合突起３５ａが一体に形成されている。また、図３と図４には現れていないが、他方の下側部接触片３４の基部にも、上向き嵌合突起が一体に形成されている。
【００４０】
図３に示すように、導電性クリップ３０の背部には、上下のそれぞれの接触片を繋ぐ連結部３８，３９が左右に離れて形成されており、その間に、上向きに延びる操作片４１が一体に形成されている。導電性クリップ３０は、図３に示す自由状態において、自らの弾性力によって、上側部接触片３１，３２と下側部接触片３４，３５とが圧接されているとともに、上中央部接触片３３と下中央部接触片３６とが圧接されている。上部前方の折り部３７と操作片４１とを指で掴んで、操作片４１を折り部３７に接近させると、そのときの変形力で、上側部接触片３１，３２と下側部接触片３４，３５との圧接力と、上中央部接触片３３と下中央部接触片３６との圧接力を弱めることができ、または上側の接触片と下側の接触片とを上下に離すことも可能である。
【００４１】
光ピックアップ装置１の組み立てが完了したら、図３と図４に示すように、折曲げ片１０ｂを、ケーブル本体部１０ａの裏側に折り返して、基板１１の裏面１１ｂどうしが対面するようにたたむ。このとき、第３の短絡用ランド部２４が、第２の短絡用ランド部２２の裏側に重ねられて、嵌合穴２２ａと嵌合穴２４ａとが重ねられる。また、第２の短絡用接地ランド部２５が、第１の短絡用ランド部２１の裏側に重ねられて、嵌合穴２１ａと嵌合穴２５ａとが重ねられる。
【００４２】
図４に示すように、フレキシブルケーブル１０に形成された開口部１５に導電性クリップ３０を入れて、この導電性クリップ３０で、ケーブル本体部１０ａと折曲げ片１０ｂとを上下から挟む。
【００４３】
このとき、上側部接触片３１，３２が、第１の短絡用ランド部２１と第２の短絡用ランド部２２に接触し、上中央部接触片３３が、第１の短絡用接地ランド部２３に接触する。そして、上中央部接触片３３に形成されている下向き嵌合突起３３ａが、第１の短絡用接地ランド部２３に開口する嵌合穴２３ａに嵌合する。下側部接触片３４，３５が、裏側に位置する第３の短絡用ランド部２４と第２の短絡用接地ランド部２５に接触する。図４に示すように、このとき、下側部接触片３５に形成された上向き嵌合突起３５ａが、第３の短絡用ランド部２４に形成された嵌合穴２４ａと、第２の短絡用ランド部２２に形成された嵌合穴２２ａの双方に嵌合する。同様に、下側部接触片３４に形成された上向き嵌合突起が第２の短絡用接地ランド部２５に形成された嵌合穴２５ａと、第１の短絡用ランド部２１に形成された嵌合穴２１ａの双方に嵌合する。
【００４４】
導電性クリップ３０は、各嵌合穴と嵌合することで、図４に示す挟持状態から容易に外れることはない。導電性クリップ３０によって、第１の短絡用ランド部２１と第２の短絡用ランド部２２および第３の短絡用ランド部２４が全て接地電位とされるために、光ピックアップ装置１の保管工程やその後のディスク装置への組付け工程などにおいて、静電気が帯電した人体や絶縁体が接近して放電状態になっても、図６に示す半導体レーザＳｃ，Ｓｄ，Ｓｂを静電破壊から保護することができる。
【００４５】
光ピックアップ装置１がディスク装置に組み込まれ、フレキシブルケーブル１０の先部の接続部１３がディスク装置本体側のコネクタに差し込まれた後に、さらにはその後の検査工程の直前に、導電性クリップ３０を除去する。導電性クリップ３０を装着しまたは除去するときは、折り部３７と操作片４１とを指で挟み、操作片４１を折り部３７に接近させることで、装着または除去作業を簡単にできる。
【００４６】
図５は他の実施の形態のフレキシブルケーブル１０１を示すものであり、（Ａ）は基板１１の表面１１ａを示し、（Ｂ）は基板１１の裏面１１ｂを示している。
【００４７】
図５（Ａ）に示すように、ケーブル本体部１０１ａでは、表面１１ａに、第１の短絡用ランド部２１と第２の短絡用ランド部２２および第１の短絡用接地ランド部２３が形成されている。図５（Ｂ）に示すように、裏面１１ｂに、第３の短絡用ランド部２４と第２の短絡用接地ランド部２５が形成されている。そして基板１１を表裏に貫通する嵌合穴２１ａ，２２ａ，２３ａが開口し、また開口部１５が形成されている。
【００４８】
第１の短絡用ランド部２１と第２の短絡用ランド部２２および第１の短絡用接地ランド部２３は、表面１１ａに形成されたリード導体１２によって、図６（Ａ）に示すＣＤ用陽極端子７ａとＤＶＤ用陽極端子７ｂおよび共通陰極端子７ｃに導通し、且つ中継ランド部１４に導通している。第３の短絡用ランド部２４と第２の短絡用接地ランド部２５は、裏面１１ｂに形成されたリード導体１２によって、図６（Ｂ）に示すＢＤ用陽極端子８ａと陰極端子８ｂに導通し、且つ中継ランド部１４に導通している。
【００４９】
図５に示すフレキシブルケーブル１０１においても、開口部１５に導電性クリップ３０を介入させ、図４と同様にしてケーブル本体部１０１ａを挟むことにより、第１の短絡用ランド部２１と第２の短絡用ランド部２２および第３の短絡用ランド部２４を接地電位に設定することが可能である。
【００５０】
前記実施の形態では、第１の短絡用接地ランド部２３と第２の短絡用接地ランド部２５の双方が導電性クリップ３０に接触するが、いずれか一方の短絡用接地ランド部が導電性クリップ３０に接触し、他方の短絡用接地ランド部が、導電性クリップ３０に接触することなく、接地電位とされて中継ランド部１４に接続されていてもよい。
【００５１】
また、本発明の光学電子装置は、光ピックアップ装置に限られず、光通信用機器などのように、複数の半導体レーザを搭載した機器であれば実施可能である。
【符号の説明】
【００５２】
１  光ピックアップ装置
２  移動ベース
４  レンズホルダ
５，６  対物レンズ
７，８  パッケージ
７ａ  ＣＤ用陽極端子
７ｂ  ＤＶＤ用陽極端子
７ｃ  共通陰極端子
８ａ  ＢＤ用陽極端子
８ｂ  陰極端子
９  弾性支持部材
１０  フレキシブルケーブル
１０ａ  ケーブル本体部
１０ｂ  折曲げ片
１１  基板
１２  リード導体
１４  中継ランド部
１５  開口部
２１  第１の短絡用ランド部
２２  第２の短絡用ランド部
２３  第１の短絡用接地ランド部
２４  第３の短絡用ランド部
２５  第２の短絡用接地ランド部
２１ａ，２２ａ，２３ａ，２４ａ，２５ａ  嵌合穴
３０  導電性クリップ
【図１】
2010287258.tif 000003
【図２】
2010287258.tif 000004
【図３】
2010287258.tif 000005
【図４】
2010287258.tif 000006
【図５】
2010287258.tif 000007
【図６】
2010287258.tif 000008